(57)【特許請求の範囲】
【請求項１】
所定方向からの音声を収音可能な収音部と、第１の記憶部を有する別体の録音機器を、撮影機器の撮影方向、または撮影方向とは異なる方向に向けて接続可能な接続部と、
被写体像を撮像し画像データに変換する撮像部と、
上記画像データを記憶可能な第２の記憶部と、
上記録音機器との接続機器との接続状態を検出するための信号を通信し、上記録音機器に設けられた上記第１の記憶部へ上記画像データを送信する通信部と、
撮影方向の音声を収音可能であり、収音した音声から音声データを生成する撮影機器音声収録部と、
上記撮影機器音声収録部による収音を制御する収音制御部と、
を有することを特徴とする撮影機器。
【請求項２】
上記撮影機器音声収録部は、内蔵マイクを有し、
上記収音制御部は、上記撮影機器の撮影方向に対する上記録音機器の収音方向に基づいて、上記内蔵マイクによる収音を制御し、且つ、上記内蔵マイクが収音した音声に基づいて、音声データを生成し、
上記通信部は、上記音声データを上記録音機器に送信し、
上記別体の録音機器に設けられた第１の記憶部は、上記通信部を介して送信された上記音声データを、マルチチャンネル録音する際に１つのチャンネルの音声データとして記憶する、
ことを特徴とする請求項１に記載の撮影機器。
【請求項３】
上記収音制御部は、上記録音機器が上記撮影機器の前方を向いている場合には、上記内蔵マイクに代えて、上記録音機器に内蔵の外部マイクによる収音を制御することを特徴とする請求項２に記載の撮影機器。
【請求項４】
上記収音制御部は、上記録音機器が上記撮影機器の後方を向いている場合には、上記内蔵マイクおよび上記録音機器に内蔵の外部マイクの両方により収音を制御することを特徴とする請求項２に記載の撮影機器。
【請求項５】
上記撮影機器は、さらに、第２の外部マイクを有する交換レンズを接続可能であり、
上記収音制御部は、上記交換レンズが接続された際には、上記内蔵マイクに代えて、上記交換レンズに内蔵の第２の外部マイクによる収音を制御することを特徴とする請求項２に記載の撮影機器。
【請求項６】
上記撮影機器は、さらに、第２の外部マイクを有する交換レンズを接続可能であり、
上記収音制御部は、上記交換レンズが接続され、かつ上記録音機器が上記撮影機器の前方を向いている場合には、上記内蔵マイクおよび上記録音機器に内蔵の外部マイクの両方により収音を制御することを特徴とする請求項２に記載の撮影機器。
【請求項７】
上記撮影機器は、さらに、第２の外部マイクを有する交換レンズを接続可能であり、
上記収音制御部は、上記交換レンズが接続され、上記録音機器が上記撮影機器の後方を向いている場合には、上記内蔵マイクおよび上記録音機器に内蔵の外部マイクの両方により収音を制御することを特徴とする請求項２に記載の撮影機器。
【請求項８】
上記録音機器はさらに録音機器側撮影部を有し、
上記録音機器が上記撮影機器の後方を向いている場合には、上記撮像部による撮像に加えて、上記録音機器側撮影部による撮影を行うことを特徴とする請求項２に記載の撮影機器。
【請求項９】
上記収音制御部は、上記撮像部による上記画像データと、上記内蔵マイクによって収音された音声データを、上記録音機器の記録部に記録することを特徴とする請求項２に記載の撮影機器。
【請求項１０】
外部マイクを有し、音声を収音して音声データを出力する外部機器音声収録部を備えた録音機器と、
上記請求項１に記載の撮影機器と、
からなる撮影機器システムにおいて、上記録音機器の装着状態に応じて、上記外部機器音声収録部および上記撮影機器に設けられた上記撮影機器音声収録部による収音を制御する収音制御部と、
を有することを特徴とする撮影機器システム。
【請求項１１】
上記撮影機器音声収録部は内蔵マイクを有し、
上記収音制御部は、上記録音機器に設けられた上記外部マイクの収音方向に応じて、上記外部マイクおよび上記内蔵マイクによる収音を制御することを特徴とする請求項１０に記載の撮影機器システム。
【請求項１２】
上記録音機器は、さらに外部撮影部を有し、
上記録音機器の装着状態に応じて、上記撮像部および上記外部撮影部による撮影を制御する撮影制御部を有することを特徴とする請求項１０に記載の撮影機器システム。
【発明の詳細な説明】
【技術分野】
【０００１】
本発明は、撮影機器および撮影機器システムに関し、詳しくは、録音機器を装着可能なカメラにおいて、両者の連携を図るようにした撮影機器および撮影機器システムに関する。
【背景技術】
【０００２】
近年デジタルカメラ等の撮影機器は、撮影領域を広げ、様々な苦手な撮影シーンを克服してきている。例えば、従来、前方の１画面しか撮影することができなかったが、後方等の画面と組み合わせたマルチ画面撮影等も可能となってきている。また、動画撮影時に重要な音声録音も、単なる１方向のモノラル録音から、指向性可変なステレオ録音が可能となってきており、画像とマッチした複雑な録音制御が求められてきている。
【０００３】
また、カメラにおける音声データの記録にあたって、特許文献１に示すように、着脱式の音声アダプタ装置が提案されている。この音声アダプタ装置は、カメラ本体で記録されたデータと、音声アダプタで記録されたデータの関連付けを容易にするものである。
【先行技術文献】
【特許文献】
【０００４】
【特許文献１】特開２０００−３４７３２２号公報
【発明の概要】
【発明が解決しようとする課題】
【０００５】
動画撮影時には音声記録が重要になってきていることから、マイクを内蔵し、音声記録を行うことができるカメラが市販されている。このようなカメラに、特許文献1等に開示されるような録音機器を装着して使用する場合、いずれのマイクを優先して音声記録を行うか、また撮影状態に応じて最適な音声記録を行うかについては、従来、何ら考慮されていなかった。
【０００６】
本発明は、このような事情を鑑みてなされたものであり、撮影機器と録音機器を組み合わせて使用する場合に、最適な撮影と音声記録を行うことができる撮影機器および撮影機器システムを提供することを目的とする。
【課題を解決するための手段】
【０００７】
上記目的を達成するため第１の発明に係わる撮影機器は、所定方向からの音声を収音可能な収音部と、第１の記憶部を有する別体の録音機器を、撮影機器の撮影方向、または撮影方向とは異なる方向に向けて接続可能な接続部と、被写体像を撮像し画像データに変換する撮像部と、上記画像データを記憶可能な第２の記憶部と、上記録音機器との接続機器との接続状態を検出するための信号を通信し、上記録音機器に設けられた上記第１の記憶部へ上記画像データを送信する通信部と、撮影方向の音声を収音可能であり、収音した音声から音声データを生成する撮影機器音声収録部と、上記撮影機器音声収録部による収音を制御する収音制御部と、を有する。
第２の発明に係わる撮影機器は、上記撮影機器音声収録部は、内蔵マイクを有し、上記収音制御部は、上記撮影機器の撮影方向に対する上記録音機器の収音方向に基づいて、上記内蔵マイクによる収音を制御し、且つ、上記内蔵マイクが収音した音声に基づいて、音声データを生成し、上記通信部は、上記音声データを上記録音機器に送信し、上記別体の録音機器に設けられた第１の記憶部は、上記通信部を介して送信された上記音声データを、マルチチャンネル録音する際に１つのチャンネルの音声データとして記憶する。
【０００８】
第３の発明に係わる撮影機器は、上記第２の発明において、上記収音制御部は、上記録音機器が上記撮影機器の前方を向いている場合には、上記内蔵マイクに代えて、上記録音機器に内蔵の外部マイクによる収音を制御する。
第４の発明に係わる撮影機器は、上記第２の発明において、上記収音制御部は、上記録音機器が上記撮影機器の後方を向いている場合には、上記内蔵マイクおよび上記録音機器に内蔵の外部マイクの両方により収音を制御する。
【０００９】
第５の発明に係わる撮影機器は、上記第２の発明において、上記撮影機器は、さらに、第２の外部マイクを有する交換レンズを接続可能であり、上記収音制御部は、上記交換レンズが接続された際には、上記内蔵マイクに代えて、上記交換レンズに内蔵の第２の外部マイクによる収音を制御する。
【００１０】
第６の発明に係わる撮影機器は、上記第２の発明において、上記撮影機器は、さらに、第２の外部マイクを有する交換レンズを接続可能であり、上記収音制御部は、上記交換レンズが接続され、かつ上記録音機器が上記撮影機器の前方を向いている場合には、上記内蔵マイクおよび上記録音機器に内蔵の外部マイクの両方により収音を制御する。
【００１１】
第７の発明に係わる撮影機器は、上記第２の発明において、上記撮影機器は、さらに、第２の外部マイクを有する交換レンズを接続可能であり、上記収音制御部は、上記交換レンズが接続され、上記録音機器が上記撮影機器の後方を向いている場合には、上記内蔵マイクおよび上記録音機器に内蔵の外部マイクの両方により収音を制御する。
【００１２】
第８の発明に係わる撮影機器は、上記第２の発明において、上記録音機器はさらに録音機器側撮影部を有し、上記録音機器が上記撮影機器の後方を向いている場合には、上記撮像部による撮像に加えて、上記録音機器側撮影部による撮影を行う。
第９の発明に係わる撮影機器は、上記第２の発明において、上記収音制御部は、上記撮像部による上記画像データと、上記内蔵マイクによって収音された音声データを、上記録音機器の記録部に記録する。
【００１３】
第１０の発明に係わる撮影機器システムは、外部マイクを有し、音声を収音して音声データを出力する外部機器音声収録部を備えた録音機器と、上記第１の発明に記載の撮影機器と、からなる撮影機器システムにおいて、上記録音機器の装着状態に応じて、上記外部機器音声収録部および上記撮影機器に設けられた上記撮影機器音声収録部による収音を制御する収音制御部と、を有する。
【００１４】
第１１の発明に係わる撮影機器システムは、上記第１０の発明において、上記撮影機器音声収録部は内蔵マイクを有し、上記収音制御部は、上記録音機器に設けられた上記外部マイクの収音方向に応じて、上記外部マイクおよび上記内蔵マイクによる収音を制御する。
第１２の発明に係わる撮影機器システムは、上記第９の発明において、上記録音機器は、さらに外部撮影部を有し、上記録音機器の装着状態に応じて、上記撮像部および上記外部撮影部による撮影を制御する撮影制御部を有する。
【発明の効果】
【００１５】
本発明によれば、撮影機器と録音機器を組み合わせて使用する場合に、最適な撮影と音声記録を行うことができる撮影機器および撮影機器システムを提供することができる。
【図面の簡単な説明】
【００１６】
【図１】本発明の第１実施形態に係わるカメラおよびＩＣレコーダからなる撮影機器システムの主として電気的構成を示すブロック図である。
【図２】本発明の第１実施形態に係わるカメラとＩＣレコーダの外観を示す図であって、（ａ）はＩＣレコーダの平面図であり、（ｂ）はカメラの正面側から見た外観斜視図である。
【図３】本発明の第１実施形態に係わる撮影機器システムの組合せを示す図であって、（ａ）はＩＣレコーダの外観斜視図であり、（ｂ）はＩＣレコーダをカメラ前側（正面側）に取り付ける様子を示し、（ｃ）はＩＣレコーダをカメラ後側（背面側）に取り付ける様子を示す。
【図４】本発明の第１実施形態に係わる撮影機器システムの使用状態を示す図であって、（ａ）は撮影機器システムを使用している様子を示す図であり、（ｂ）は撮影機器システムで撮影した画像を示し、（ｃ）は撮影画像および音声をパーソナルコンピュータ（ＰＣ）で再生する様子を示す図である。
【図５】本発明の第１実施形態における撮影機器システムにおいて、音声と画像のファイル構造を示す図であり、（ａ）はパターン１におけるファイル構造を示し、（ｂ）はパターン２におけるファイル構造を示す。
【図６】本発明の第１実施形態における撮影機器システムにおいて、音声と画像のファイル構造を示す図であり、（ａ）はパターン３Ａにおけるファイル構造を示し、（ｂ）はパターン３Ｂにおけるファイル構造を示す。
【図７】本発明の第１実施形態における撮影機器システムにおいて、音声と画像のファイル構造を示す図であり、（ａ）は音声と画像ファイルの内部構造を示し、（ｂ）は５．１チャンネルにおけるファイル構造を示す。
【図８】本発明の第１実施形態に係わるカメラのカメラ制御の動作を示すフローチャートである。
【図９】本発明の第１実施形態に係わるカメラの撮影収音記録１の動作を示すフローチャートである。
【図１０】本発明の第１実施形態に係わるカメラの撮影収音記録２の動作を示すフローチャートである。
【図１１】本発明の第１実施形態に係わるカメラの撮影収音記録３の動作を示すフローチャートである。
【図１２】本発明の第２実施形態に係わるカメラ、マイク付き交換レンズおよびＩＣレコーダからなる撮影機器システムの主として電気的構成を示すブロック図である。
【図１３】本発明の第２実施形態に係わる撮影機器システムの外観を示すカメラ正面側から見た外観斜視図である。
【図１４】本発明の第２実施形態に係わる撮影機器システムの使用状態を示す図である。
【図１５】本発明の第２実施形態に係わるカメラのカメラ制御の動作を示すフローチャートである。
【図１６】本発明の第２実施形態に係わるカメラの撮影収音記録４の動作を示すフローチャートである。
【図１７】本発明の第２実施形態に係わるカメラの撮影収音記録５の動作を示すフローチャートである。
【図１８】本発明の第２実施形態に係わるカメラの撮影収音記録６の動作を示すフローチャートである。
【発明を実施するための形態】
【００１７】
以下、図面に従って本発明を適用したカメラを有する撮影機器システムを用いて好ましい実施形態について説明する。第１実施形態に係わる撮影機器システムはカメラ１０とＩＣレコーダ２０から構成され、撮影機器システムを構成するカメラ１０は、デジタルカメラである。この撮影機器システムは、大略、次のような機能を有する。カメラ１０の撮像部によって被写体像を動画の画像データに変換し、この変換された画像データに基づいて、被写体像を本体の背面に配置した表示部にライブビュー表示する。動画撮影時にはレリーズ釦の操作により撮影を開始し再度の操作により撮影を終了する。また、カメラ１０には、ＩＣレコーダ２０が前方および背面側に装着可能であり、ＩＣレコーダ２０は、録音機能と撮影機能を有する。カメラ１０は、ＩＣレコーダ２０の装着の有無、および装着の向きに応じて、いずれの音声と画像をどのように組み合わせて記録するかを決定する。カメラ１０のレリーズがなされると、上記決定に応じて、画像データおよび音声データを記録媒体に記録する。また、記録媒体に記録した撮影画像と音声は、再生モードを選択すると、再生することができる。
【００１８】
図１に示すブロック図を用いて、本発明の第１実施形態に係わるカメラ１０とこれに装着可能なＩＣレコーダ２０からなる撮影機器システムの構成について説明する。カメラ１０は、信号処理及び制御部１、撮像部２、記録部４、電源部５、操作判定部６、音声収録部７、表示部８、時計部９、通信部１２等から構成される。
【００１９】
カメラ１０内の撮像部２は、撮影レンズ、シャッタ等の露出制御部、撮像素子、撮像素子の駆動、及び読出回路等を含み、撮影レンズによって形成された被写体像を撮像素子によって画像データに変換し、これを出力する。なお、本明細書においては、画像データは、撮像素子から出力される画像信号に限らず、信号処理及び制御部１によって処理された画像のデータ、および記録部４に記録されている画像のデータ等についても使用する。
【００２０】
信号処理及び制御部１は、ＣＰＵ（Central Processing Unit：中央処理装置）およびその周辺のハードウエア回路によって構成され、不図示の不揮発性メモリからなる記憶部に記憶されているプログラムに従ってカメラ１０の全体のシーケンスを制御する。また、信号処理及び制御部１は、撮像部２から出力される画像データに対して、各種画像処理を施す。
【００２１】
記録部４は、カメラ本体に脱着自在な記録媒体、若しくは内蔵の記録媒体から構成される。記録部４には、撮像部２から出力され、信号処理及び制御部１によって画像処理された静止画や動画の画像データや音声データ、およびこれらのデータに付随するデータが記録される。電源部５は、電源電池および電源制御部等を含み、カメラ１０の各部に電源供給を行う。また、ＩＣレコーダ２０がカメラ１０に装着された際には、ＵＳＢ端子を通じて、ＩＣレコーダ２０に電源を供給する。
【００２２】
操作判定部６は、カメラ１０の外装に配置されたレリーズ釦、電源釦、再生釦、メニュー釦等の各種操作部材を有し、この操作部材の操作状態を判定し、この判定結果を信号処理及び制御部１に出力する。また、操作部材として、自分側釦が設けてあり、この自分側釦は、後述するようにＩＣレコーダ２０をカメラ１０に装着した際に、ＩＣレコーダ２０内の撮影部２５によって撮影者自らを撮影することを指示するための操作部材である。操作判定部６は、自分側釦に連動する自分側スイッチの状態も判定し、信号処理及び制御部１に出力する。
【００２３】
音声収録部７は、内蔵マイク、音声処理回路、スピーカ等を有し、動画撮影時等において、主としてカメラ前方の音声をモノラルで集音し、画像データと共に記録するために音声処理を行う。ここで処理された音声データは記録部４に記録される。また、動画の再生時には、併せて音声データの再生をスピーカによって行う。
【００２４】
表示部８は、信号処理及び制御部１に接続されており、本体の背面等に配置された液晶モニタや有機ＥＬ等のモニタを有し、ライブビュー表示や、撮影時のレックビュー表示や、記録部４に記録されている記録画像の表示や、メニュー画面等の制御画面を表示する。時計部９は、計時機能を有し、また日時情報を出力する。撮影時には、この日時情報が画像データと共に記録部４の記録媒体に記録される。
【００２５】
通信部１２は、ＩＣレコーダ２０と双方向で通信を行う。通信方式としては、種々の有線通信方式以外にも、無線通信でも赤外線通信でも勿論かまわないが、本実施形態においてはＵＳＢによる有線通信を行う。また、通信にあたっては、画像データと音声データ等を送受信する。
【００２６】
ＩＣレコーダ２０内の信号処理及び制御部２１は、ＣＰＵ（Central Processing Unit：中央処理装置）およびその周辺のハードウエア回路によって構成され、不図示の不揮発性メモリからなる記憶部に記憶されているプログラムに従ってＩＣレコーダ２０の全体のシーケンスを制御する。
【００２７】
音声収録部２７は、内蔵のステレオマイク２７ｂ（図２（ａ）参照）、音声処理回路を含み、カメラ１０内の音声収録部７よりは高品位の音声データを収録することができる。この音声収録部２７で取得したアナログ音声信号は、信号処理及び制御部２１によってＡＤ変換され、デジタル音声データとなり、また記録用に音声圧縮処理もなされる。
【００２８】
撮影部２５は、撮影レンズ２５ｂ（図２（ａ）参照）、撮像素子、撮像素子の駆動、及び読出回路等を含み、ＩＣレコーダ２０で音声記録を行う際に、撮影も可能となっている。会議等の音声記録の際に、併せて発言者等の顔画像を記録することにより、音声データの検索の際に、役立てることができる。この撮影部２５における画像は補助画像であることから、カメラ１０によって取得される画像よりは低品位である。
【００２９】
記録部２４は、音声収録部２７で取得した音声データと、撮影部２５によって取得した画像データを記録するための電気的に書き換え可能な不揮発性メモリである。記録部２４は、大容量メモリを備え、通信部２２を介して、外部より入力したデータの記録も可能である。
【００３０】
再生部２８は、スピーカおよび音声処理回路を含み、記録部２４に記録された音声データの再生を行う。音声再生にあたっては、記録部２４に記録されている圧縮音声データを信号処理及び制御部２１によって伸張処理を行った後、音声処理回路によって処理を行う。また、撮影部２５によって取得され記録部２４に記録されている画像データの再生も行う。
【００３１】
通信部２２は、カメラ１０の通信部１２と、画像データおよび音声データ等の送受信を行う。また、前述したように、ＵＳＢ接続を通じて電源供給されるので、供給された電源をＩＣレコーダ２０内の図示しない電源部に供給する。
【００３２】
操作部２６は、ＩＣレコーダ２０内の外装に配置された録音釦、停止釦、再生釦等の各種操作部材を有し、この操作部材の操作状態を判定し、この判定結果を信号処理及び制御部２１に出力する。時計部２９は、計時機能を有し、また日時情報を出力する。録音時には、この日時情報が音声データと共に記録部２４の記録媒体に記録される。
【００３３】
上述のＩＣレコーダ２０は、図２（ａ）に示すように、ＩＣレコーダ本体２０ａとキャップ２０ｂとから構成されている。前述の図１に示したＩＣレコーダ２０内の各部はＩＣレコーダ本体２０ａ内に配置されている。ＩＣレコーダ本体２０ａの先端側には、撮影レンズ２５ｂとステレオマイク２７ｂが設けられている。撮影レンズ２５ｂは撮影部２５において被写体像を結像する。また、ステレオマイク２７ｂは、音声収録部２７において音声をアナログ音声信号に変換する。
【００３４】
ＩＣレコーダ本体２０ａの末端側にはＵＳＢ端子２２ｂが設けられている。このＵＳＢ端子２２ｂは通信部２２の通信端子であり、キャップ２０ｂに収納可能である。カメラ１０やパーソナルコンピュータ（以下、ＰＣと称す）５０等の外部機器と接続する際には、キャップ２０ｂを外し、これらの外部機器とＵＳＢ端子２２ｂによって接続をとる。一方、外部機器と接続せず、単独でＩＣレコーダ２０を使用する場合には、キャップ２０ｂをＵＳＢ端子２２ｂに装着し、ＵＳＢ端子２２ｂを保護する。
【００３５】
また、上述のカメラ１０は、図２（ｂ）に示すように、内部には図１に示した記録部４等の各部が配置されている。また、カメラ１０の本体の正面には、撮像部２の一部である撮影レンズ２ｂが配置され、また音声収録部７を構成する内蔵マイク７ｂが設けられている。カメラ１０の上面には、ＩＣレコーダ２０をアダプタ４０ａ、４０ｂ（図３参照）を介して装着するための通信接続部１２ｂが配置されている。この通信接続部１２ｂは、通信部１２の一部であり、アダプタ４０ａ、４０ｂを装着時に固定するとともに、カメラ１０の通信部１２とＩＣレコーダ２０の通信部２２を電気的に接続し、通信路を形成する。
【００３６】
ＩＣレコーダ２０のカメラ１０への装着について、図３を用いて説明する。図３（ａ）はＩＣレコーダ本体２０ａからキャップ２０ｂを外した様子を示す。キャップ２０ｂを外したＩＣレコーダ本体２０ａをカメラ１０の前側（正面側）に取り付ける際には、前側アダプタ４０ａを用いる。前側アダプタ４０ａは、ＩＣレコーダ本体２０ａのＵＳＢ端子２２ｂを収納し、ＵＳＢ接続をとるための通信端子を有する収納部４１ａと、カメラ１０の通信接続部１２ｂにカメラ１０の前側から装着可能であり、装着時にＵＳＢ接続をとるための通信端子を有する脚部４２ａを有する。前側アダプタ４０ａ内において、収納部４１ａと脚部４２ａとの間で通信路が形成されている。
【００３７】
ＩＣレコーダ本体２０ａをカメラ１０の前側（正面側）に取り付けるには、図３（ｂ）に示すように、前側アダプタ４０ａの収納部４１ａにＩＣレコーダ２０のＵＳＢ端子２２ｂを装着し、前側アダプタ４０ａの脚部４２ａを、カメラ１０の前側から通信接続部１２ｂに装着する。カメラ１０は、前側アダプタ４０ａの装着を検知する検知部を有しており、前側アダプタ４０ａを装着すると、ＩＣレコーダ２０が前側に装着されたと、カメラ１０は認識し、かつ両者の間に通信路が形成される。この状態では、カメラ１０の前方の音声をＩＣレコーダ２０に録音することができる。
【００３８】
ＩＣレコーダ本体２０ａをカメラ１０の後側（背面側）に取り付ける際には、後側アダプタ４０ｂを用いる。後側アダプタ４０ｂは、ＩＣレコーダ本体２０ａのＵＳＢ端子２２ｂを収納し、ＵＳＢ接続をとるための通信端子を有する収納部４１ｂと、カメラ１０の通信接続部１２ｂにカメラ１０の後側から装着可能であり、装着時にＵＳＢ接続をとるための通信端子を有する脚部４２ｂを有する。後側アダプタ４０ｂ内において、収納部４１ｂと脚部４２ｂとの間で通信路が形成されている。
【００３９】
ＩＣレコーダ本体２０ａをカメラ１０の後側（背面側）に取り付けるには、図３（ｃ）に示すように、後側アダプタ４０ｂの収納部４１ｂにＩＣレコーダ２０のＵＳＢ端子２２ｂを装着し、後側アダプタ４０ｂの脚部４２ｂを、カメラ１０の後側から通信接続部１２ｂに装着する。カメラ１０は、後側アダプタ４０ｂの装着を検知する検知部を有しており、後側アダプタ４０ｂを装着すると、ＩＣレコーダ２０が後側に装着されたと、カメラ１０は認識し、かつ両者の間に通信路が形成される。この状態では、カメラ１０の後方、特に撮影者の声を録音することができる。
【００４０】
図４は、このように構成された撮影機器システムを使用している様子を示しており、特に図４（ａ）は、ＩＣレコーダ２０を後側アダプタ４０ｂを介してカメラ１０に装着し、使用している様子を示している。この場合には、ＩＣレコーダ２０の撮影レンズ２５ｂとステレオマイク２７ｂが撮影者６１の方を向いていることから、撮影者６１の画像を撮影し、また、カメラ１０は前方を向いていることから、撮影機器システムとしては、前方の被写体と後方の撮影者６１の画像を同時に取得が可能である。また、撮影時には、撮影者６１の音声を収録することができることから、撮影者６１による解説等を収音することができる。
【００４１】
このように、図４（ａ）に示す使用状態においては、前方と後方の画像を同時に取得できることから、カメラ１０の信号処理及び制御部１は、図４（ｂ）に示すように、前方から得られた主画像６５に、後方から得られた撮影者６１の画像をサブ画像６６として合成し、この合成画像を表示部８に表示したり、記録することができる。ＩＣレコーダ２０の記録部２４に合成画像を記録した場合には、図４（ｃ）に示すように、ＰＣ５０のＵＳＢ端子に、ＩＣレコーダ２０を装着し、合成画像を読み出すことにより、ＰＣ５０のモニタで鑑賞することができる。
【００４２】
次に、本実施形態において記録される音声ファイルと画像ファイル構造について、図５ないし図７を用いて説明する。図５（ａ）に示すパターン１は、ＩＣレコーダ２０とカメラ１０が、それぞれ個別に撮影と録音を行った場合のファイル構造である。すなわち、ＩＣレコーダ２０は、音声収録部２７によって取得した音声データに基づいて音声ファイル１を生成し、また撮影部２５によって取得した画像データに基づいて画像ファイル１を生成し、それぞれ記録部２４に記録する。また、カメラ１０は、音声収録部７によって取得した音声データに基づいて音声ファイル２を生成し、また撮像部２によって取得した画像データに基づいて画像ファイル２を生成し、それぞれ記録部４に記録する。
【００４３】
図５（ｂ）に示すパターン２は、ＩＣレコーダ２０をカメラ１０にアダプタ４０ａ、４０ｂを介して装着し、両者を連携させて画像と音声を記録する場合のファイル構造である。音声データに関しては、ＩＣレコーダ２０の音声収録部２７の方がカメラ１０の音声収録部７よりも高品位であることから、音声データの記録はカメラ１０の音声収録部７を使用せずにＩＣレコーダ２０の音声収録部２７における音声データを使用する。また、画像データに関しては、カメラ１０撮像部２の方がＩＣレコーダ２０の撮影部２５よりも高品位であることから、画像データの記録はＩＣレコーダ２０の撮影部２５を使用せず、カメラ１０の撮像部２における画像データを使用する。さらに、音声ファイルと画像ファイルは、ＩＣレコーダ２０の記録部２４に記録する。ＩＣレコーダ２０の記録部２４は大容量であるとともに、ＵＳＢ端子２２ｂを直接、ＰＣ５０に装着し、再生することができるためである。
【００４４】
図６（ａ）に示すパターン３Ａも、ＩＣレコーダ２０をカメラ１０にアダプタ４０ｂを介して装着し、両者を連携させて画像と音声を記録する場合のファイル構造である。パターン２と異なるのは、カメラ１０で収音した音声データも、ＩＣレコーダ２０によって収音した音声データとともに記録するようにした点である。
【００４５】
ＩＣレコーダ２０は、ステレオ録音が可能であり、このために音声データ記録用のトラックとしては、左右それぞれ１トラックずつ有している。そこで、パターン３Ａでは、トラック１をＩＣレコーダ２０が収音した音声データを記録し、トラック２をカメラ１０が収音した音声データを記録するようにしている。なお、画像データについては、パターン２と同様である。また、音声ファイルと画像ファイルは、パターン２と同様、ＩＣレコーダ２０の記録部２４に記録する。このパターン３Ａでは、カメラ１０の前方および後方の両方の音声データを記録することができる。
【００４６】
図６（ｂ）に示すパターン３Ｂも、ＩＣレコーダ２０をカメラ１０にアダプタ４０ｂを介して装着し、両者を連携させて画像と音声を記録する場合のファイル構造である。パターン３Ａと異なるのは、ＩＣレコーダ２０で撮影した画像データも、カメラ１０によって撮影した画像データとともに記録するようにした点である。
【００４７】
前述したように、ＩＣレコーダ２０を後方に向けて装着した場合には、撮影者６１の画像データを取得することができ、この場合には、図４（ｂ）に示したような合成画像を画像ファイル１としてＩＣレコーダ２０の記録部２４に記録する。音声ファイル１については、パターン３Ａと同様であり、カメラ１０とＩＣレコーダ２０によって取得された音声データをそれぞれのトラックに記録し、音声ファイル１として、ＩＣレコーダ２０の記録部２４に記録する。
【００４８】
パターン１〜パターン３Ｂにおいては、音声ファイルおよび画像ファイルは、単に帯状に表示するだけであったが、内部構造としては、図７（ａ）に示すようになっている。すなわち、音声ファイルの冒頭のヘッダ部には、時系列に記録された複数のトラックの関係を示す情報等、音声ファイルに関する情報が記録されており、また、撮像部２または撮影部２５において撮影したサムネイル画像もここに記録されている。サムネイル画像としては、動画で記録されている画像データの撮影開始時の画像、または動画撮影開始時に静止画を撮影し、この画像をサムネイルとする。
【００４９】
音声ファイルのヘッダ部に続いて、図７（ａ）に示すように、トラック１とトラック２の音声データが交互に記録されている。録音形式としては、圧縮を伴うＭＰ３やＷＭＡ形式や、非圧縮のＰＣＭ録音のＷＡＶ形式等がある。非圧縮の録音形式の方が、音質が高いが、動画記録時は画像データが大容量となることから、ＰＣ５０に取り込みやすく加工しやすい圧縮記録の方が扱いやすい。
【００５０】
なお、音声ファイルの構造としては、図７（ａ）に示すような構造に限らず、図７（ｂ）に示すように、５．１チャンネル等のマルチチャンネル録音の考え方を利用してもよい。すなわち、マルチチャンネルでは、前後左右のマイクを、各々別のファイルで記録し、これを1つの束として扱っている。この考え方を利用して、例えば、前方の音は、カメラ１０から、後方の音はＩＣレコーダ２０から収音するようにしてもよい。
【００５１】
次に、本実施形態における動作を図８ないし図１１に示すフローチャートを用いて説明する。このフローチャートは、カメラ１０の不図示の記憶部に記憶されているプログラムに従って信号処理及び制御部１が実行する。
【００５２】
電源釦が操作され、電源がオンとなり、図８に示すカメラ制御のフローに入ると、まず、撮影モードか否かの判定を行う（Ｓ１）。このカメラ１０は撮影モードと再生モードを有しており、このステップでは、再生モードでなければ、撮影モードと判定する。この判定の結果、撮影モードであった場合には、次に、記録開始か否かの判定を行う（Ｓ２）。このカメラ１０では、レリーズ釦が操作されると、動画の記録を開始し、再度レリーズ釦が操作されると、動画の記録を終了するので、このステップでは、レリーズ釦が操作されたか否かを判定する。
【００５３】
ステップＳ２における判定の結果、記録開始でなかった場合には、ステップＳ１に戻る。一方、記録開始であった場合には、次に、ＩＣレコーダ２０が装着されているか否かの判定を行う（Ｓ３）。ここでは、通信部１２を介して、ＩＣレコーダ２０の通信部２２と通信を行い、通信が成立すれば、ＩＣレコーダ２０が装着されていると判定する。
【００５４】
ステップＳ３における判定の結果、ＩＣレコーダ２０が接続していなかった場合には、次に、撮影・収音記録１のサブルーチンを実行する（Ｓ５）。この場合には、ＩＣレコーダ２０が接続されておらず、カメラ１０単独で使用されていることから、通常の撮影と録音を行う。この撮影・収音記録１の詳しいフローについては、図８を用いて後述する。
【００５５】
ステップＳ３における判定の結果、ＩＣレコーダ２０が接続していた場合には、次に、マイクが被写体側にあるか否かの判定を行う（Ｓ４）。前述したように、前側アダプタ４０ａを用いてＩＣレコーダ２０を装着した場合には、ＩＣレコーダ２０のステレオマイク２７ｂはカメラ１０の前側（正面側）になることから、このステップでは、前側アダプタ４０ａを用いてＩＣレコーダ２０を装着したか否かを検知する。
【００５６】
ステップＳ４における判定の結果、ステレオマイク２７ｂが前側、すなわち被写体側に有る場合には、次に、撮影・収音記録２のサブルーチンを実行する（Ｓ７）。この場合には、ＩＣレコーダ２０は前側、すなわち被写体側を向いており、撮影者は被写体を撮影し、このときの音声を録音することに集中している。そこで、画像は高品位の画像データを取得できるカメラ１０の撮像部２からの画像データを記録し、音声は高品位の音声データを取得できるＩＣレコーダ２０の音声収録部２７からの音声データを記録する。この撮影・収音記録２の詳しいフローについては、図１０を用いて後述する。
【００５７】
ステップＳ４における判定の結果、ステレオマイク２７ｂが後側、すなわち撮影者側に有る場合には、次に、撮影・収音記録３のサブルーチンを実行する（Ｓ６）。この場合には、ＩＣレコーダ２０は後側、すなわち撮影者側を向いており、撮影者は被写体とともに撮影者も記録することを意図している。そこで、音声はカメラ１０の音声収録部７とＩＣレコーダ２０の音声収録部２７の両方によって音声データを得るようにする。また、画像は、撮影者が意図すれば、撮影者の画像データも取得し、図４（ｂ）に示すような合成画像を生成できるようにする。この撮影・収音記録３の詳しいフローについては、図１１を用いて後述する。
【００５８】
ステップＳ５〜Ｓ７における撮影・収音記録１〜３のいずれかを実行すると、次に、記録終了か否かの判定を行う（Ｓ８）。ここでは、レリーズ釦が再度、操作されたか否かを判定する。前述したように、再度、レリーズ釦が操作されると、動画の記録を終了する。ステップＳ８における判定の結果、記録終了でなかった場合には、ステップＳ３に戻り、動画の記録および録音を続行する。一方、判定の結果、記録終了であった場合には、次に、電源オフか否かの判定を行う（Ｓ９）。ここでは、電源釦の操作状態を操作判定部６によって検知し、この検知結果に基づいて判定する。この判定の結果、電源オフでなかった場合には、ステップＳ１に戻る。一方、判定の結果、電源オフであった場合には、電源オフ処理を行った後、カメラ制御のフローを終了する。
【００５９】
ステップＳ１における判定の結果、撮影モードでなかった場合には、次に、再生モードか否かの判定を行う（Ｓ１１）。再生釦を操作すると再生モードに切り換わることから、このステップでは、再生釦の状態を判定する。この判定の結果、再生でなかった場合には、ステップＳ１に戻る。
【００６０】
ステップＳ１１における判定の結果、再生モードであった場合には、次にファイル一覧を表示する（Ｓ１２）。ここでは、動画の最初の画像等、サムネイル画像を表示する。続いて、画像及び音声選択がなされたか否かの判定を行う（Ｓ１３）。ここでは、ファイル一覧に表示された動画の中から、ユーザが画像および音声を選択したか否かを判定する。
【００６１】
ステップＳ１３における判定の結果、画像及び音声が選択されていた場合には、選択ファイルの連携再生を行う（Ｓ１４）。ここでは、ＩＣレコーダ２０によって録音や撮影がなされ、再生時にＩＣレコーダ２０が接続されていた場合には、カメラ１０の撮像部２で取得した画像と音声収録部７で取得した音声とを連携した再生を行う。連携再生を行うと、ステップＳ１１に戻り、再生モードを続行する。
【００６２】
一方、ステップＳ１３における判定の結果、画像及び音声が選択されていなかった場合には、再生を終了か否かの判定を行う（Ｓ１５）。再生釦が再度、操作されると、再生モードを終了することから、このステップでは、再生釦が再度、操作されたか否かを判定する。この判定の結果、終了でなかった場合には、ステップＳ１２に戻り、再生を続行する。一方、ステップＳ１５における判定の結果、終了であった場合には、前述のステップＳ９に進み電源オフか否かの判定を行い、電源オフであった場合には、カメラ制御のフローを終了する。
【００６３】
次に、ステップＳ５における撮影・収音記録１の詳しい動作について、図９に示すフローチャートを用いて説明する。このフローでは、カメラ１０単独による撮影および録音がなされる。撮影・収音記録１のフローに入ると、まず、撮影終了か否かの判定を行う（Ｓ２１）。ここでは、レリーズ釦が、再度、操作され、動画の撮影を終了するか否かの判定を行う。この判定の結果、撮影終了であった場合には、元のフローに戻る。
【００６４】
ステップＳ２１における判定の結果、撮影終了でなかった場合には、次に、カメラ撮影およびカメラ収音を行い（Ｓ２２）、カメラに記録する（Ｓ２３）。ここでは、カメラ１０の撮像部２によって取得した画像データを信号処理および制御部１によって画像処理した後、カメラ１０の記録部４に記録する。また、画像データの取得と同時に、音声収録部７によって取得した音声データを信号処理および制御部１によって信号処理し、画像データと関連付けを行って、カメラ１０の記録部４に記録する。このときの記録パターンは図５（ａ）に示したパターン１に従う。カメラに画像データと音声データを記録すると、ステップＳ２１に戻り、撮影終了するまで、この処理を繰り返す。
【００６５】
次に、ステップＳ７における撮影・収音記録２の詳しい動作について、図１０に示すフローチャートを用いて説明する。このフローでは、カメラ１０の前方向きにＩＣレコーダ２０が装着され、両者の連携による撮影および録音がなされる。撮影・収音記録２のフローに入ると、まず、ＩＣレコーダ２０の起動を行う（Ｓ３１）。ここでは、カメラ１０からＩＣレコーダ２０に対して起動するように信号処理及び制御部２１に指示を出力する。
【００６６】
ＩＣレコーダ２０が起動すると、次に、ステップ２１と同様に撮影終了か否かの判定を行う（Ｓ３２）。この判定の結果、撮影終了でなかった場合には、次に、カメラ１０による撮影と、ＩＣレコーダ２０による収音を行う（Ｓ３３）。ここでは、カメラ１０の撮像部２によって取得した画像データを信号処理及び制御部１によって画像処理を行う。また、ＩＣレコーダ２０に対して、音声収録部２７によって音声データを取得し信号処理及び制御部２１によって音声処理を行う。
【００６７】
カメラ撮影及びレコーダ収音を行うと、次に、レコーダに記録を行う（Ｓ３４）。ここでは、カメラ１０で取得し画像処理された画像データを、通信部１２および通信部２２を介してＩＣレコーダ２０に出力し、ＩＣレコーダ２０の記録部２４に記録する。また、ＩＣレコーダ２０で取得した音声データを、画像データと関連付けて記録部２４に記録する。レコーダに記録を行うと、ステップＳ３２に戻り、撮影終了するまで、カメラ撮影とレコーダ収音、および記録を繰り返す。
【００６８】
ステップＳ３２における判定の結果、撮影終了であった場合には、ＩＣレコーダ２０をオフする（Ｓ３５）。ここでは、カメラ１０の信号処理及び制御部１は、動作をオフするようにＩＣレコーダ２０に指示する。レコーダオフを行うと、元のフローに戻る。
【００６９】
次に、ステップＳ６における撮影・収音記録３の詳しい動作について、図１１に示すフローチャートを用いて説明する。このフローでは、カメラ１０の後方向きにＩＣレコーダ２０が装着され、両者の連携による撮影および録音がなされる。撮影・収音記録３のフローに入ると、まず、ステップＳ３１と同様にＩＣレコーダ２０の起動が行われ（Ｓ４１）、続いて、ステップＳ３２と同様に撮影終了か否かの判定が行われる（Ｓ４２）。
【００７０】
ステップＳ４２における判定の結果、撮影終了でなかった場合には、カメラ撮影、およびカメラ・レコーダ収音を行う（Ｓ４３）。ここでは、カメラ１０の撮像部２によって取得した画像データを信号処理及び制御部１によって画像処理を行う。また、カメラ１０の音声収録部７によって音声データを取得するとともに、ＩＣレコーダ２０に対して、音声収録部２７によって音声データを取得し信号処理及び制御部２１によって音声処理を行う。
【００７１】
続いて、自分側スイッチがオンか否かの判定を行う（Ｓ４４）。カメラ１０の前方の被写体に加えて、撮影者自身も撮影したい場合には、自分側釦を手動操作するので、操作判定部６によって自分側釦に連動する自分側スイッチの状態を判定する。
【００７２】
ステップＳ４４における判定の結果、自分側スイッチがオンであった場合には、撮影結果の合成を行う（Ｓ４５）。ここでは、カメラ１０内の撮像部２によって取得した主被写体の画像データに、ＩＣレコーダ２０の撮影部２５によって取得した撮影者６１の画像データを、信号処理及び制御部１によって画像合成を行い、図４（ｂ）に示すような合成画像を生成する。
【００７３】
ステップＳ４５において画像合成を行うと、またはステップＳ４４における判定の結果、自分側スイッチがオンでなかった場合には、次に、収音結果のトラック別記録を行い（Ｓ４６）、レコーダ４７に記録する（Ｓ４７）。ステップＳ４４における判定の結果、自分側スイッチがオン出なった場合には、図６（ａ）に示すようなパターン３Ａによるトラック別に、ＩＣレコーダ２０の記録部２４に記録する。パターン３Ａであることから、カメラ１０で取得した画像データは、ＩＣレコーダ２０の画像ファイル１に記録し、カメラ１０で取得した音声データは、ＩＣレコーダ２０の音声ファイル１のトラック２に記録し、ＩＣレコーダ２０で取得した音声データは、ＩＣレコーダ２０の音声ファイル１のトラック１に記録する。
【００７４】
また、ステップＳ４５において撮影結果の合成画像を生成した場合には、図６（ｂ）に示すようなパターン３Ｂによるトラック別に、ＩＣレコーダ２０の記録部２４に記録する。音声データについては、パターン３Ａと同様であるが、パターン３Ｂであることから、画像データについては、ステップＳ４５において生成した合成画像の画像データを、ＩＣレコーダ２０の画像ファイル１に記録する。
【００７５】
ＩＣレコーダ２０に画像データ及び音声データを記録すると、ステップＳ４２に戻り、撮影終了と判定されるまで、前述の処理を繰り返す。ステップＳ４２における判定の結果、撮影終了であった場合には、ステップＳ３５と同様に、ＩＣレコーダ２０をオフする（Ｓ４８）。レコーダオフを行うと、元のフローに戻る。
【００７６】
以上、説明したように、本発明の第１実施形態においては、ＩＣレコーダ２０の音声収録部２７の向きに応じて、記録する音声データを切り換えている。すなわち、ＩＣレコーダ２０が前向きに装着された場合には、カメラ１０の音声収録部７はオフにし、ＩＣレコーダ２０の音声収録部３７による音声データのみを記録する。また、ＩＣレコーダ２０が後向きに装着された場合には、カメラ１０の音声収録部７とＩＣレコーダ２０の音声収録部３７による両方の音声データを記録する。このため、撮影機器であるカメラ１０と録音機器であるＩＣレコーダ２０を組み合わせて使用する場合に、最適な音声記録を行うことができる。
【００７７】
また、本実施形態においては、ＩＣレコーダ２０の音声収録部２７の向きに応じて、記録する画像データを切り換えている。すなわち、ＩＣレコーダ２０が前向きに装着された場合には、ＩＣレコーダ２０の撮影部２５はオフにし、カメラ１０の撮像部２による画像データのみを記録する。また、ＩＣレコーダ２０が後向きに装着された場合には、自分側釦が操作された際に、カメラ１０の撮像部２とＩＣレコーダ２０の撮影部２５による両方の画像データを記録する。このため、撮影機器であるカメラ１０と録音機器であるＩＣレコーダ２０を組み合わせて使用する場合に、最適な画像記録を行うことができる。
【００７８】
なお、本実施形態においては、カメラ１０の撮像部２とＩＣレコーダ２０の撮影部２５による両方の画像データを記録するにあたって、両方の画像を合成した後に行っていた。しかし、これに限らず、時分割で別々に両方の画像データを記録する等、他の手法で記録してもよい。
【００７９】
また、本実施形態においては、ＩＣレコーダ２０をカメラ１０に装着した場合には、画像データと音声データをＩＣレコーダ２０に記録して。しかし、これに限らず、カメラ１０の記録部４に記録するようにしてもよい。
【００８０】
次に、本発明の第２実施形態について、図１２ないし図１８を用いて説明する。第１実施形態においては、撮影レンズはカメラ１０の本体内に設けられていた。第２実施形態においては、カメラ１０は交換レンズ式のカメラであり、交換レンズ内に音声収録部を設けている。
【００８１】
本実施形態における撮影機器システムは、図１２に示すように、カメラ１０、ＩＣレコーダ２０、および交換レンズ３０から構成される。ＩＣレコーダ２０は、第１実施形態におけるＩＣレコーダ２０と同様であるので、同一の部には、同一の符号を付し、詳しい説明は省略する。また、カメラ１０も通信部３が設けられている以外は、第１実施形態におけるカメラ１０と同様であるので、同一の部には同一の符号を付し詳しい説明を省略する。
【００８２】
通信部３は信号処理及び制御部１に接続され、交換レンズ３０が装着された際に、交換レンズ３０と通信を行う。なお、第１実施形態における撮像部２は撮影レンズを備えていたが、本実施形態においては交換レンズ３０内に撮影レンズ３２を備えていることから、撮像部２においては、撮影レンズを設けていない。また、図１に記載の電源部５を第２実施形態のカメラ１０においても備えているが、図１２では省略してある。
【００８３】
交換レンズ３０は、カメラ１０に脱着自在であり、交換レンズ３０内には、撮影制御部３１、撮影レンズ３２、通信部３３、音声収録部３７が設けてある。撮影制御部３１は、ＣＰＵ（Central Processing Unit：中央処理装置）およびその周辺のハードウエア回路によって構成され、不図示の不揮発性メモリからなる記憶部に記憶されているプログラムに従って交換レンズ３０の全体のシーケンスを制御する。特に、カメラ１０の信号処理及び制御部１からの指示に従って、撮影レンズ３２の焦点調節や、音声収録部３７における音声収録の制御等を行う。
【００８４】
撮影レンズ３２は、被写体光を集光し撮像部２の撮像素子上に結像する。音声収録部３７は、ステレオマイクおよび音声処理回路を有し、交換レンズ３０の前方の音声を収音する。また、撮影レンズ３２の焦点距離およびピント位置に応じて、収音の指向性を変化させる。
【００８５】
通信部３３は、カメラ１０内の通信部３と通信を行い、マイク付きの交換レンズであるか否か等の機種情報や、交換レンズ３０の焦点距離情報等、種々の情報を送信し、また、カメラ１０からの焦点調節情報を受信する。また、音声収録部３７によって取得した音声データもカメラ１０に送信する。
【００８６】
本実施形態における撮影機器システムの外観を、図１３に示す。本実施形態においては、カメラ１０に前側アダプタ４０を介してＩＣレコーダ２０を装着可能である。また、カメラ１０の正面に交換レンズ３０を装着可能である。この交換レンズ３０の前面には、前述したように、撮影レンズ３２および１対のステレオマイク３７ｂが設けられている。なお、交換レンズとしては、ステレオマイク３７ｂ付きの交換レンズ３０以外にも、ステレオマイクを装備しない交換レンズ３０Ａも装着可能である。
【００８７】
本実施形態における使用状態の例を、図１４に示す。交換レンズ３０のステレオマイク３７ｂの収音の指向性は高く、図１４に示すような状況においては、鳥６３のさえずりはきれいに録音できるが、小川６４のせせらぎ等の周囲の音は殆ど録音できない。このような状況では、交換レンズ３０に内蔵されたステレオマイク３７ｂにおいて鳥６３のさえずりを収音し、ＩＣレコーダ２０に内蔵されたステレオマイク２７ｂにおいて小川６４の流れの音を収音するような使い分けを行う。この場合、小川６４の流れの音が鳥６３のさえずりをかき消してしまわないように、鳥６３と小川６４の音の大きさのバランスをとるのが重要である。このため、両者を別ファイルとして録音しておき、再生時にバランスを取るような使い方が望ましい。
【００８８】
次に、本実施形態における撮影機器システムの動作について、図１５ないし図１８に示すフローチャートを用いて説明する。このフローチャートは、カメラ１０の不図示の記憶部に記憶されているプログラムに従って信号処理及び制御部１が実行する。
【００８９】
電源釦が操作され、電源がオンとなると、図１５に示すカメラ制御のフローに入るが、最初のステップＳ１〜Ｓ３における処理は、図８を用いて説明した第１実施形態におけるフローと同様であるので、詳しい説明は省略する。また、図８における再生モードに関するステップＳ１１〜Ｓ１５も実行するが、図８と同様であることから、フロー上省略し説明も所略する。
【００９０】
ステップＳ３における判定の結果、ＩＣレコーダ２０が接続されていなかった場合には、次に、マイク付きレンズが接続されているか否かの判定を行う（Ｓ６１）。ここでは、交換レンズ３０から送信されてくるマイク付きの交換レンズであるか否かの機種情報に基づいて判定する。この判定の結果、マイク付きレンズが接続されていなかった場合には、次に、撮影・収音記録１のサブルーチンを実行する（Ｓ６２）。この場合には、ＩＣレコーダ２０およびマイク付き交換レンズ３０の両方が接続されておらず、カメラ１０とマイクなし交換レンズ３０Ａとの組み合わせで使用されていることから、通常の撮影と録音を行う。この撮影・収音記録１の詳しいフローについては、図８を用いて前述した。
【００９１】
ステップＳ６１における判定の結果、マイク付きレンズが接続されていた場合には、次に、撮影・収音記録４のサブルーチンを実行する（Ｓ６３）。この場合には、ＩＣレコーダ２０は装着されていないが、マイク付き交換レンズ３０が装着されていることから、マイク付き交換レンズ３０のステレオマイク３７ｂが有効に活用されるような撮影と録音を行う。この撮影・収音記録４の詳しいフローについては、図１６を用いて後述する。
【００９２】
ステップＳ３における判定の結果、ＩＣレコーダ２０が装着されていた場合には、次に、録音方式を合わせる（Ｓ５１）。例えば、ＩＣレコーダ２０の録音方式が非圧縮方式であった場合に、動画撮影がなされると、記憶容量への負荷が大きくなることから、ここではＩＣレコーダ２０とカメラ１０での録音方式を同じ圧縮方式に切り換える。
【００９３】
録音方式を合わせると、次に、ステップＳ４と同様に、マイクが被写体側にあるか否かを判定する（Ｓ５２）。このステップは、ＩＣレコーダ２０のステレオマイク２７ｂがカメラ１０の前側にあるか否かを判定するものであって、前述したように、前側アダプタ４０ａを用いてＩＣレコーダ２０を装着したか否かに基づいて判定する。
【００９４】
ステップＳ５２における判定の結果、マイクが被写体側にあった場合には、次に、ステップＳ６１と同様に、マイク付きレンズが接続されているか否かの判定を行う（Ｓ５３）。この判定の結果、マイク付きレンズが接続されていなかった場合には、次に、撮影・収音記録２のサブルーチンを実行する（Ｓ５５）。この場合には、被写体の方を向いてＩＣレコーダ２０は装着されているが、マイク付き交換レンズ３０が装着されていないことから、被写体の方を向いたＩＣレコーダ２０のマイクが有効に活用されるような撮影と録音を行う。この撮影・収音記録２の詳しいフローについては、図１０を用いて前述した。
【００９５】
ステップＳ５３における判定の結果、マイク付きレンズが接続されていた場合には、次に、撮影・収音記録５のサブルーチンを実行する（Ｓ５４）。この場合には、ＩＣレコーダ２０とマイク付き交換レンズ３０の両方が装着されている。ＩＣレコーダ２０の向きはカメラ１０の前側（被写体側）を向いていることから、図１４で説明した状況に類似しており、交換レンズ３０のステレオマイク３７ｂと、ＩＣレコーダ２０のステレオマイク２７ｂが有効に活用されるような撮影と録音を行う。この撮影・収音記録５の詳しいフローについては、図１７を用いて後述する。
【００９６】
ステップＳ５２における判定の結果、マイクが被写体側でなかった場合、すなわち撮影者６７の方を向いている場合には、次に、ステップＳ６１と同様に、マイク付きレンズが接続されているか否かの判定を行う（Ｓ５６）。この判定の結果、マイク付きレンズが接続されていなかった場合には、撮影・収音記録３のサブルーチンを実行する（Ｓ５８）。この場合は、ＩＣレコーダ２０が撮影者の方を向いて装着されているが、マイク付き交換レンズ３０が装着されていないことから、撮影者の方を向いているＩＣレコーダ２０のステレオマイク２７ｂが有効に活用されるような撮影と録音を行う。この撮影・収音記録３の詳しいフローについては、図１１を用いて前述した。
【００９７】
ステップＳ５６における判定の結果、マイク付きレンズが接続されていた場合には、撮影・収音記録６のサブルーチンを実行する（Ｓ５７）。この場合は、ＩＣレコーダ２０が撮影者の方を向いて装着されており、さらにマイク付き交換レンズ３０も装着されている。撮影者の方を向いているＩＣレコーダ２０のステレオマイク２７ｂと、被写体を向いている交換レンズ３０のステレオマイク３７ｂが有効に活用されるような撮影と録音を行う。この撮影・収音記録６の詳しいフローについては、図１８を用いて後述する。
【００９８】
ステップＳ６２における撮影・収音記録１、ステップＳ５５における撮影・収音記録２、ステップＳ５８における撮影・収音記録３、ステップＳ６３における撮影・収音記録４、ステップＳ５４における撮影・収音記録５、ステップＳ５７における撮影・収音記録６のいずれかを実行すると、次に、記録終了か否かの判定（Ｓ８）および電源オフかの判定（Ｓ９）を行うが、図８を用いて説明したことから詳しい説明を省略する。
【００９９】
次に、ステップＳ６３における撮影・収音記録４の詳しい動作について、図１６に示すフローチャートを用いて説明する。このフローでは、マイク付き交換レンズ３０が装着されたカメラ１０による撮影および録音がなされる。撮影・収音記録４のフローに入ると、まず、撮影終了か否かの判定を行う（Ｓ７１）。ここでは、レリーズ釦が、再度、操作され、動画の撮影を終了するか否かの判定を行う。この判定の結果、撮影終了であった場合には、元のフローに戻る。
【０１００】
ステップＳ７１における判定の結果、撮影終了でなかった場合には、次に、カメラ撮影およびカメラ収音を行い（Ｓ７２）、カメラに記録する（Ｓ７３）。ここでは、カメラ１０の撮像部２によって取得した画像データを信号処理および制御部１によって画像処理した後、カメラ１０の記録部４に記録する。音声収録に関しては、カメラ１０内の音声収録部７はオフ状態として、交換レンズ３０内の音声収録部３７によって行う。すなわち、画像データの取得と同時に、交換レンズ３０の音声収録部３７によって取得した音声データを信号処理および制御部１によって信号処理し、画像データと関連付けを行って、カメラ１０の記録部４に記録する。このときの記録パターンは図５（ａ）に示したパターン１に従う。カメラに画像データと音声データを記録すると、ステップＳ２１に戻り、撮影終了するまで、この処理を繰り返す。
【０１０１】
次に、ステップＳ５４における撮影・収音記録５の詳しい動作について、図１７に示すフローチャートを用いて説明する。このフローでは、マイク付き交換レンズ３０が装着され、またカメラ１０に前方向き（被写体側）でＩＣレコーダ２０が装着されている。撮影・収音記録２のフローに入ると、まず、ＩＣレコーダ２０の起動を行う（Ｓ８１）。ここでは、カメラ１０からＩＣレコーダ２０に対して起動するように信号処理及び制御部２１に指示を出力する。
【０１０２】
ＩＣレコーダ２０が起動すると、次に、ステップ７１と同様に撮影終了か否かの判定を行う（Ｓ８２）。この判定の結果、撮影終了でなかった場合には、次に、カメラ１０による撮影と、マイク付き交換レンズ３０による収音を行う（Ｓ８３）。ここでは、カメラ１０の撮像部２によって取得した画像データを信号処理及び制御部１によって画像処理を行う。また、交換レンズ３０に対して、音声収録部３７によって音声データを取得およびカメラ１０へ送信を指示し、カメラ１０は受信した音声データを信号処理及び制御部１によって音声処理する。
【０１０３】
続いて、カメラに記録を行う（Ｓ８４）。ステップＳ８３において、撮像部２によって画像データを取得し、また交換レンズ３０の音声収録部３７によって音声データを取得したことから、この取得した音声データ及び画像データをカメラ１０の記録部４に記録する。
【０１０４】
次に、レコーダ収音を行い（Ｓ８５）、レコーダ記録を行う（Ｓ８６）。ここでは、カメラ１０の前方を向いているＩＣレコーダ２０の音声収録部２７によって、カメラ１０の前方（被写体方向）の音声を収音し、これをＩＣレコーダ２０の記録部２４に記録する。レコーダ記録を行うと、ステップＳ８２に戻り、撮影終了になるまで、画像データと音声データの取得と記録を繰り返す。
【０１０５】
ステップＳ８２における判定の結果、撮影終了であった場合には、次に、カメラファイルをＩＣレコーダ２０に送信する（Ｓ８７）。撮影終了するまでは、カメラ１０側での画像データと交換レンズ３０での音声データは、カメラ１０の記録部４に記録していたが、撮影終了時に、一括して、これらのデータをＩＣレコーダ２０に送信する。ＩＣレコーダ２０は、受信した音声及び画像データを記録部２４に記録する。
【０１０６】
カメラファイルをレコーダに送信すると、次に、ＩＣレコーダ２０をオフする（Ｓ８８）。ここでは、カメラ１０の信号処理及び制御部１は、動作をオフするようにＩＣレコーダ２０に指示する。レコーダオフを行うと、元のフローに戻る。
【０１０７】
次に、ステップＳ５７における撮影・収音記録６の詳しい動作について、図１８に示すフローチャートを用いて説明する。このフローでは、マイク付き交換レンズ３０が装着され、またカメラ１０に後方向き（撮影者側）でＩＣレコーダ２０が装着されている。撮影・収音記録６のフローに入ると、まず、ステップＳ８１と同様にＩＣレコーダ２０の起動が行われ（Ｓ９１）、続いて、ステップＳ７１と同様に撮影終了か否かの判定が行われる（Ｓ９２）。
【０１０８】
ステップＳ９２における判定の結果、撮影終了でなかった場合には、ステップＳ８３と同様に、カメラ撮影およびレンズ収音を行う（Ｓ９３）。ここでは、カメラ１０の撮像部２によって画像データを取得し、交換レンズ３０の音声収録部３７によって音声データを取得する。続いて、ステップＳ８４と同様に、カメラに記録を行う（Ｓ９４）。ステップＳ９３において取得した画像データと音声データを、カメラ１０の記録部４に記録する。
【０１０９】
カメラに記録すると、次に、ステップＳ８５と同様にレコーダ収音を行い（Ｓ９５）、ステップＳ８６と同様にレコーダに記録を行う（Ｓ９６）。ここでは、カメラ１０の後方（撮影者側）を向いているＩＣレコーダ２０の音声収録部２７によって、撮影者側の音声を収音し、これをＩＣレコーダ２０の記録部２４に記録する。
【０１１０】
レコーダ記録を行うと、次に、ステップＳ４４（図１１参照）と同様に、自分側スイッチがオンか否かの判定を行う（Ｓ９７）。撮影者が自己の画像を記録することを望む場合に分側釦を操作することから、このステップでは自分側スイッチの状態を判定する。この判定の結果、自分側スイッチがオンであった場合には、合成タイミングの記録を行う（Ｓ９８）。
【０１１１】
本実施形態においては、ＩＣレコーダ２０側の画像と、カメラ１０側の画像はそれぞれ別個に記録し、撮影終了後に、ＩＣレコーダ２０に記録するようにしている。このため、自分側スイッチがオンになったタイミングでは画像を合成することができない。そこで、自分側スイッチがオンとなったタイミングを記録しておき、最後に、合成画像を生成できるようにしている。
【０１１２】
合成タイミングを記録すると、またはステップＳ９７における判定の結果、自分側スイッチが操作されていなかった場合には、ステップＳ９２に戻る。撮影終了になるまでは、ステップＳ９３〜Ｓ９８を繰り返し実行し、画像データと音声データを取得し記録する。
【０１１３】
ステップＳ９２における判定の結果、撮影終了であった場合には、ステップＳ８７と同様に、カメラファイルをレコーダに送信する（Ｓ９９）。ここでは、カメラ１０の記録部４に記録された画像データと音声データを、ＩＣレコーダ２０の記録部２４に記録する。なお、自分側スイッチが操作された場合には、操作されたタイミングに基づいて、撮像部２で取得された被写体像と、撮影部２５で取得された撮影者の顔画像を、図４（ｂ）に示すように合成し、この合成された画像データを記録する。
【０１１４】
カメラファイルをレコーダに送信すると、次に、ステップＳ８８と同様に、ＩＣレコーダ２０をオフする（Ｓ１００）。ここでは、カメラ１０の信号処理及び制御部１は、動作をオフするようにＩＣレコーダ２０に指示する。レコーダオフを行うと、元のフローに戻る。
【０１１５】
以上説明したように、本発明の第２実施形態においては、ＩＣレコーダ２０およびマイク付きの交換レンズ３０の装着状態に応じて、記録する音声データを切り換えている。すなわち、マイク付きの交換レンズ３０のみが装着されている場合には、カメラ１０の音声収録部７はオフにし、交換レンズ３０内の音声収録部３７による音声データのみを記録している。また、マイク付きの交換レンズ３０とＩＣレコーダ２０の両方が装着されている場合には、カメラ１０の音声収録部７はオフにし、ＩＣレコーダ２０内の音声収録部２７と交換レンズ３０内の音声収録部３７による両方の音声データを記録している。
【０１１６】
また、本実施形態においては、交換レンズ３０とカメラ１０に係わる画像および音声のデータは、撮影中にはカメラ１０内の記録部４に記録し、撮影終了後に一括してＩＣレコーダ２０内の記録部２４に送信し、処理した後に記録している。このため、両者を記録に相応しい形式に処理することができる。
【０１１７】
以上説明したように、本発明の各実施形態における撮影機器システムは、外部マイクを有し、音声を収音して音声データを出力するＩＣレコーダ２０やマイク付きの交換レンズ３０等の外部機器と、内蔵マイクを有し撮影方向の音声を収音し音声データを出力可能な音声収録部７を有するカメラ１０から構成され、外部機器の装着状態に応じて、外部マイクおよび内蔵マイクによる収音を制御している。このため、撮影機器と外部機器を組み合わせて使用する場合に、最適な音声記録を行うことができる。
【０１１８】
また、本発明の各実施形態における撮影機器システムは、撮影部２５を有し画像データを出力する外部機器（ＩＣレコーダ２０）と、この外部機器と装着可能なカメラ１０から構成され、外部機器の装着状態に応じて、カメラ１０と外部機器の撮影を制御している。このため、撮影機器と外部機器を組み合わせて使用する場合に、最適な画像記録を行うことができる。
【０１１９】
なお、本発明の各実施形態においては、カメラ１０に外部機器（ＩＣレコーダ２０やマイク付きの交換レンズ３０）を装着した場合に、カメラ１０によって撮影機器システム全体を制御していた。しかし、全体制御は、カメラ１０に限らなくても、ＩＣレコーダ２０等によって行うようにしても構わない。
【０１２０】
また、本発明の各実施形態においては、ＩＣレコーダ２０のカメラ１０への装着方向に応じて、録音する音声収録部を切り換えていたが、装着方向については考慮せず、ＩＣレコーダ２０や交換レンズ３０の機能に応じて、一律に録音する音声収録部を切り換えるようにしてもよい。
【０１２１】
さらに、本発明の各実施形態においては、カメラ１０は動画撮影のみを行っていたが、静止画撮影を行うようにしてもよく、また、静止画撮影の際に、所定時間の間、録音を行って良い。静止画撮影の際に録音を行う場合には、動画撮影の場合と同様、本発明を適用することができる。
【０１２２】
さらに、本発明の各実施形態においては、撮影機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１２３】
さらに、本発明の各実施形態においては、カメラ１０に装着される外部機器として、ＩＣレコーダ２０および交換レンズ３０について説明したが、録音機能を有する機器であれば、これに限らない。また、外部機器は、交換レンズ３０のように、画像データを生成する機能を有していなくても構わず、全く撮影機能を有していなくてもよい。。
【０１２４】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１２５】
１・・・信号処理及び制御部、２・・・撮像部、２ｂ・・・撮影レンズ、３・・・通信部、４・・・記録部、５・・・電源部、６・・・操作判定部、７・・・音声収録部、７ｂ・・・内蔵マイク、８・・・表示部、９・・・時計部、１０・・・カメラ、１２・・・通信部、１２ｂ・・・通信接続部、２０・・・ＩＣレコーダ、２０ａ・・・ＩＣレコーダ本体、２０ｂ・・・端子キャップ、２１・・・信号処理及び制御部、２２・・・通信部、２２ｂ・・・ＵＳＢ端子、２４・・・記録部、２５・・・撮影部、２５ｂ・・・撮影レンズ、２６・・・操作部、２７・・・音声収録部、２７ｂ・・・ステレオマイク、２８・・・再生部、２９・・・時計部、３０・・・交換レンズ、３１・・・撮影制御部、３２・・・撮影レンズ、３３・・・通信部、３７・・・音声収録部、３７ｂ・・・ステレオマイク、４０ａ・・・前側アダプタ、４０ｂ・・・後側アダプタ、４１ａ・・・収納部、４１ｂ・・・収納部、４２ａ・・・脚部、４２ｂ・・・脚部、５０・・・パーソナルコンピュータ（ＰＣ）、６１・・・撮影者、６３・・・鳥、６４・・・小川
【図１】
0005495732.tif 000002
【図２】
0005495732.tif 000003
【図３】
0005495732.tif 000004
【図４】
0005495732.tif 000005
【図５】
0005495732.tif 000006
【図６】
0005495732.tif 000007
【図７】
0005495732.tif 000008
【図８】
0005495732.tif 000009
【図９】
0005495732.tif 000010
【図１０】
0005495732.tif 000011
【図１１】
0005495732.tif 000012
【図１２】
0005495732.tif 000013
【図１３】
0005495732.tif 000014
【図１４】
0005495732.tif 000015
【図１５】
0005495732.tif 000016
【図１６】
0005495732.tif 000017
【図１７】
0005495732.tif 000018
【図１８】
0005495732.tif 000019